【手続補正書】
【提出日】平成24年10月3日(2012.10.3)
【手続補正１】
【補正対象書類名】特許請求の範囲
【補正対象項目名】請求項１
【補正方法】変更
【補正の内容】
【請求項１】
識別情報が記録された記憶手段と、
ＧＰＳを利用して位置情報を取得するＧＰＳ手段と、
前記識別情報と前記位置情報とを後述する管理手段に対して無線送信する送信手段と、
前記記憶手段、前記ＧＰＳ手段、及び前記送信手段に電源を供給するバッテリーと、
前記識別情報と関連付けされた文字、図形、もしくは色彩の少なくとも何れかの標章が表示された表示手段とを備えた自転車の位置情報を管理するために、
前記無線送信された前記識別情報と前記位置情報とを受信する受信手段と、
受信した前記識別情報と前記位置情報とを記録する記録手段と、
検索すべき識別情報を入力する入力手段と、
入力された識別情報に基づいて前記記憶手段を検索して対応する位置情報を出力する検索手段とを備えた管理手段を備えることによって、
前記自転車の位置情報を管理するように構成された自転車管理システムを利用した共済システムであって、
当該共済システムを運営する共済組合に加入する組合員を特定する認証情報と、当該認証情報と関連付けされた出資金情報を、前記管理手段に記憶された前記識別情報と関連付けして記憶する共済管理手段と、
認証すべき認証情報もしくは検索すべき識別情報を操作者が入力し得る入力手段と、
前記入力手段にて入力された認証情報の適否をチェックして、適合している場合には、当該認証情報に基づいて、前記共済管理手段を検索して、関連付けされた識別情報と出資金情報を出力する共済検索手段と、
前記共済検索手段から出力された識別情報と出資金情報とに基づいて払い戻し金額を計算する計算手段とを備え、
前記自転車の所有者は、予め、所定の出資金を所定の金融機関に払い込みして、所定の出資金情報を、認証情報と識別情報と関連付けして前記共済管理手段に記憶させることにより、当該共済に加入して組合員となっておき、
前記所有者が払戻金を請求するときには、前記認証情報と前記識別情報とに基づいて出力された出資金情報に基づいて前記計算手段によって算定された払戻金を受け取ることができ、
前記共済管理手段の管理者が、自転車の持ち主を検索するときには、
前記自転車の記憶手段から読み出した識別情報を、前記入力手段を用いて入力して前記共済管理手段を検索することによって、対応する認証情報に基づいて組合員を特定し得るように構成されていることを特徴とする自転車管理システムを利用した共済システム。
【手続補正２】
【補正対象書類名】特許請求の範囲
【補正対象項目名】請求項２
【補正方法】変更
【補正の内容】
【請求項２】
請求項１に記載の自転車管理システムを利用した共済システムに用いる自転車管理システムであって、
識別情報が記録された記憶手段と、
ＧＰＳを利用して位置情報を取得するＧＰＳ手段と、
前記識別情報と前記位置情報とを後述する管理手段に対して無線送信する送信手段と、
前記記憶手段、前記ＧＰＳ手段、及び前記送信手段に電源を供給するバッテリーと、
前記識別情報と関連付けされた文字、図形、もしくは色彩の少なくとも何れかの標章が表示された表示手段とを備えた自転車の位置情報を、
前記無線送信された前記識別情報と前記位置情報とを受信する受信手段と、
受信した前記識別情報と前記位置情報とを記録する記録手段と、
検索すべき識別情報を入力する入力手段と、
入力された識別情報に基づいて前記記憶手段を検索して対応する位置情報を出力する検索手段とを備えた管理手段によって管理するように構成された自転車管理システム。
【手続補正３】
【補正対象書類名】特許請求の範囲
【補正対象項目名】請求項４
【補正方法】変更
【補正の内容】
【請求項４】
識別情報が記録された記憶手段と、
ＧＰＳを利用して位置情報を取得するＧＰＳ手段と、
前記識別情報と前記位置情報とを後述する管理手段に対して無線送信する送信手段と、
前記記憶手段、前記ＧＰＳ手段、及び前記送信手段に電源を供給するバッテリーと、
前記識別情報と関連付けされた文字、図形、もしくは色彩の少なくとも何れかの標章が表示された表示手段とを備えた自転車の位置情報を管理するために、
前記無線送信された前記識別情報と前記位置情報とを受信する受信手段と、
受信した前記識別情報と前記位置情報とを記録する記録手段と、
検索すべき識別情報を入力する入力手段と、
入力された識別情報に基づいて前記記憶手段を検索して対応する位置情報を出力する検索手段とを備えた管理手段を備えることによって、
前記自転車の位置情報を管理するように構成された自転車管理システムを利用した共済システムを構成し、
当該共済システムを運営する共済組合に加入する組合員を特定する認証情報と、当該認証情報と関連付けされた出資金情報を、前記管理手段に記憶された前記識別情報と関連付けして記憶する共済管理手段と、
認証すべき認証情報もしくは検索すべき識別情報を操作者が入力し得る入力手段と、
前記入力手段にて入力された認証情報の適否をチェックして、適合している場合には、当該認証情報に基づいて、前記共済管理手段を検索して、関連付けされた識別情報と出資金情報を出力する共済検索手段と、
前記共済検索手段から出力された識別情報と出資金情報とに基づいて払い戻し金額を計算する計算手段とを備えた共済管理方法であって、
前記自転車の所有者は、予め、所定の出資金を所定の金融機関に払い込みして、所定の出資金情報を、認証情報と識別情報と関連付けして前記共済管理手段に記憶させることにより、当該共済に加入して組合員となっておき、
前記所有者が払戻金を請求するときには、前記認証情報と前記識別情報とに基づいて出力された出資金情報に基づいて前記計算手段によって算定された払戻金を受け取ることができ、
前記共済管理手段の管理者が、自転車の持ち主を検索するときには、
前記自転車の記憶手段から読み出した識別情報を、前記入力手段を用いて入力して前記共済管理手段を検索することによって、対応する認証情報に基づいて組合員を特定し得るように構成されていることを特徴とする共済管理方法。
【手続補正４】
【補正対象書類名】明細書
【補正対象項目名】０００６
【補正方法】変更
【補正の内容】
【０００６】
本発明の自転車管理システムを利用した共済システムでは、
識別情報が記録された記憶手段と、
ＧＰＳを利用して位置情報を取得するＧＰＳ手段と、
前記識別情報と前記位置情報とを後述する管理手段に対して無線送信する送信手段と、
前記記憶手段、前記ＧＰＳ手段、及び前記送信手段に電源を供給するバッテリーと、
前記識別情報と関連付けされた文字、図形、もしくは色彩の少なくとも何れかの標章が表示された表示手段とを備えた自転車の位置情報を管理するために、
前記無線送信された前記識別情報と前記位置情報とを受信する受信手段と、
受信した前記識別情報と前記位置情報とを記録する記録手段と、
検索すべき識別情報を入力する入力手段と、
入力された識別情報に基づいて前記記憶手段を検索して対応する位置情報を出力する検索手段とを備えた管理手段を備えることによって、
前記自転車の位置情報を管理するように構成された自転車管理システムを利用した共済システムであって、
当該共済システムを運営する共済組合に加入する組合員を特定する認証情報と、当該認証情報と関連付けされた出資金情報を、前記管理手段に記憶された前記識別情報と関連付けして記憶する共済管理手段と、
認証すべき認証情報もしくは検索すべき識別情報を操作者が入力し得る入力手段と、
前記入力手段にて入力された認証情報の適否をチェックして、適合している場合には、当該認証情報に基づいて、前記共済管理手段を検索して、関連付けされた識別情報と出資金情報を出力する共済検索手段と、
前記共済検索手段から出力された識別情報と出資金情報とに基づいて払い戻し金額を計算する計算手段とを備え、
前記自転車の所有者は、予め、所定の出資金を所定の金融機関に払い込みして、所定の出資金情報を、認証情報と識別情報と関連付けして前記共済管理手段に記憶させることにより、当該共済に加入して組合員となっておき、
前記所有者が払戻金を請求するときには、前記認証情報と前記識別情報とに基づいて出力された出資金情報に基づいて前記計算手段によって算定された払戻金を受け取ることができ、
前記共済管理手段の管理者が、自転車の持ち主を検索するときには、
前記自転車の記憶手段から読み出した識別情報を、前記入力手段を用いて入力して前記共済管理手段を検索することによって、対応する認証情報に基づいて組合員を特定し得るように構成されていることを特徴とする。
【手続補正５】
【補正対象書類名】明細書
【補正対象項目名】０００７
【補正方法】変更
【補正の内容】
【０００７】
請求項２に係る発明は、
請求項１に記載の自転車管理システムを利用した共済システムに用いる自転車管理システムであって、
識別情報が記録された記憶手段と、
ＧＰＳを利用して位置情報を取得するＧＰＳ手段と、
前記識別情報と前記位置情報とを後述する管理手段に対して無線送信する送信手段と、
前記記憶手段、前記ＧＰＳ手段、及び前記送信手段に電源を供給するバッテリーと、
前記識別情報と関連付けされた文字、図形、もしくは色彩の少なくとも何れかの標章が表示された表示手段とを備えた自転車の位置情報を、
前記無線送信された前記識別情報と前記位置情報とを受信する受信手段と、
受信した前記識別情報と前記位置情報とを記録する記録手段と、
検索すべき識別情報を入力する入力手段と、
入力された識別情報に基づいて前記記憶手段を検索して対応する位置情報を出力する検索手段とを備えた管理手段を備えることによって管理するように構成された自転車管理システム。
請求項３では、
前記表示手段には、前記標章が、夜間でも視認可能に表示されている。
【手続補正６】
【補正対象書類名】明細書
【補正対象項目名】０００８
【補正方法】変更
【補正の内容】
【０００８】
請求項４の共済管理方法は、
識別情報が記録された記憶手段と、
ＧＰＳを利用して位置情報を取得するＧＰＳ手段と、
前記識別情報と前記位置情報とを後述する管理手段に対して無線送信する送信手段と、
前記記憶手段、前記ＧＰＳ手段、及び前記送信手段に電源を供給するバッテリーと、
前記識別情報と関連付けされた文字、図形、もしくは色彩の少なくとも何れかの標章が表示された表示手段とを備えた自転車の位置情報を管理するために、
前記無線送信された前記識別情報と前記位置情報とを受信する受信手段と、
受信した前記識別情報と前記位置情報とを記録する記録手段と、
検索すべき識別情報を入力する入力手段と、
入力された識別情報に基づいて前記記憶手段を検索して対応する位置情報を出力する検索手段とを備えた管理手段を備えることによって、
前記自転車の位置情報を管理するように構成された自転車管理システムを利用した共済システムを構成し、
当該共済システムを運営する共済組合に加入する組合員を特定する認証情報と、当該認証情報と関連付けされた出資金情報を、前記管理手段に記憶された前記識別情報と関連付けして記憶する共済管理手段と、
認証すべき認証情報もしくは検索すべき識別情報を操作者が入力し得る入力手段と、
前記入力手段にて入力された認証情報の適否をチェックして、適合している場合には、当該認証情報に基づいて、前記共済管理手段を検索して、関連付けされた識別情報と出資金情報を出力する共済検索手段と、
前記共済検索手段から出力された識別情報と出資金情報とに基づいて払い戻し金額を計算する計算手段とを備えた共済管理方法であって、
前記自転車の所有者は、予め、所定の出資金を所定の金融機関に払い込みして、所定の出資金情報を、認証情報と識別情報と関連付けして前記共済管理手段に記憶させることにより、当該共済に加入して組合員となっておき、
前記所有者が払戻金を請求するときには、前記認証情報と前記識別情報とに基づいて出力された出資金情報に基づいて前記計算手段によって算定された払戻金を受け取ることができ、
前記共済管理手段の管理者が、自転車の持ち主を検索するときには、
前記自転車の記憶手段から読み出した識別情報を、前記入力手段を用いて入力して前記共済管理手段を検索することによって、対応する認証情報に基づいて組合員を特定し得るように構成されている。